(57)【要約】【課題】表示手段・操作入力手段・マイクロホン・スピーカー・ヘッドホンを備え、音声入力式の楽曲検索を行えるとともに検索した楽曲の一部を試聴することができるように構成されたカラオケ選曲予約装置に関する。カラオケ店における現実のカラオケ利用の現場においては、カラオケ演奏装置から大きな音がでている状況と、カラオケ演奏が中断されて静かになる状況とが頻繁に入れかわることと、カラオケ愛好者にはオーディオ機器の取り扱いに不慣れな人も多いことを考えると、選曲予約装置のスピーカーとヘッドホンの切り替え機構が一般のオーディオ機器と同じでは大いに不便である。【解決手段】自動切替手段により、マイクロホンからの音声入力音量が基準以上である場合にスピーカーから音声出力させずにヘッドホンから音声出力させる。【選択図】  図３
2011215203.tif 000002
【特許請求の範囲】
【請求項１】
表示手段と、操作入力手段と、マイクロホンと、スピーカーと、ヘッドホンを備え、楽曲索引データベースにアクセスするカラオケ選曲予約装置であって、
操作入力手段またはマイクロホンを用いた利用者からの検索入力に従って楽曲索引データベースから抽出した楽曲情報を表示する手段と、
表示された楽曲情報に対して試聴要求の操作入力があった際、楽曲索引データベースから当該楽曲の試聴データを抽出・再生してスピーカーまたはヘッドホンから音声出力する手段と、
表示された楽曲情報に対してリクエスト要求の操作入力があった際、当該楽曲の識別子を含んだ演奏予約電文をカラオケ装置に送信する手段と、
操作入力手段による切替入力に応答してスピーカーから音声出力させるかヘッドホンから音声出力させるかを切り替える手動切替手段と、
マイクロホンからの音声入力音量が基準以上である場合にスピーカーから音声出力させずにヘッドホンから音声出力させる自動切替手段と、
を備えたカラオケ選曲予約装置。
【請求項２】
電源投入時の初期処理として前記自動切替手段を能動化させ、前記手動切替手段はスピーカーとヘッドホンの選択に加えて前記自動切替手段への復帰も選択可能である
請求項１に記載のカラオケ選曲予約装置。
【請求項３】
前記自動切替手段によりスピーカーからヘッドホンに切り替わる際、そのことが表示手段による表示によって利用者に報知される
請求項１または２に記載のカラオケ選曲予約装置。
【請求項４】
前記自動切替手段は、ある楽曲の試聴データを再生してスピーカーから音声出力している最中にヘッドホンに切り替える際、当該試聴データを最初から再生し直す
請求項１〜３のいずれかに記載のカラオケ選曲予約装置。
【発明の詳細な説明】
【技術分野】
【０００１】
この発明は、カラオケ演奏装置の周辺装備品として使用されるカラオケ選曲予約装置に関し、具体的には、表示手段・操作入力手段・マイクロホン・スピーカー・ヘッドホンを備え、音声入力式の楽曲検索を行えるとともに検索した楽曲の一部を試聴することができるように構成されたカラオケ選曲予約装置に関するものである。
【背景技術】
【０００２】
《特許第３５９９５２６号公報》《特許第４２２３２７７号公報》
カラオケ選曲予約装置にスピーカーやヘッドホンが付属しており、利用者が検索して選出した楽曲の一部を試聴することができる。
【０００３】
《特許第４２８６４４６号公報》《特許第３６０２０８５号公報》
マイクロホンに向かってハミングやスキャット等で旋律を発声すると、声のピッチ推移に基づいて旋律片データが作成され、その旋律片データによって楽曲索引データベースが検索され、その旋律を含んだ１つ以上の楽曲が抽出されて曲名が表示され、その楽曲ＩＤによりカラオケ演奏装置に予約される。
【０００４】
《特開２００３−１７８０７７号公報》
歌詞に含まれている語句をキーワードとして楽曲索引データベースから楽曲集合を抽出し、つぎに音声により旋律を入力し、その旋律データに符合する旋律を含んだ楽曲を前記の楽曲集合から抽出する。
【０００５】
《特許第３４８２３９８号公報》
たとえば「フランク永井の有楽町で会いましょう」のように、歌いたい曲の歌手名と曲名をごく自然につなげて発話すると、発話音声が自動認識されてカラオケ楽曲索引データベースが検索され、該当楽曲のカラオケ予約用の楽曲ＩＤが抽出され、カラオケ演奏装置に予約される。
【発明の開示】
【発明が解決しようとする課題】
【０００６】
音声入力式の楽曲検索を行えるとともに検索した楽曲の一部を試聴することができるように構成されたカラオケ選曲予約装置の利用シーンにおいては、つぎのような課題がある。カラオケ演奏装置の音響システムから大きな音がでていない状況下では、選曲予約装置のスピーカーを使って楽曲を試聴しながら選曲することにはとくに支障はない。しかし、カラオケ伴奏音楽と拡声された歌声が大きな音で響いている状況下では、選曲予約装置のスピーカーによる試聴は困難になる。
【０００７】
そのためにヘッドホンが付属しており、選曲予約装置のスピーカーの代わりにヘッドホンでも試聴できるようになっている。一般のオーディオ機器の場合、ヘッドホンのコード先端のプラグを機器のジャックに挿入すると、スピーカーからの音が消えてヘッドホンから音がでる。また、スピーカーから音をだすかヘッドホンから音をだすのかを手動操作により切り替えられるオーディオ機器もある。
【０００８】
カラオケ店における現実のカラオケ利用の現場においては、カラオケ演奏装置から大きな音がでている状況と、カラオケ演奏が中断されて静かになる状況とが頻繁に入れかわることと、カラオケ愛好者にはオーディオ機器の取り扱いに不慣れな人も多いことを考えると、選曲予約装置のスピーカーとヘッドホンの切り替え機構が一般のオーディオ機器と同じでは大いに不便である。そこでこの発明が創作された。
【課題を解決するための手段】
【０００９】
この発明にカラオケ選曲予約装置は、分説すると、つぎの事項（１）〜（６）により特定されるものである。
（１）表示手段と、操作入力手段と、マイクロホンと、スピーカーと、ヘッドホンを備え、楽曲索引データベースにアクセスするカラオケ選曲予約装置であること
（２）操作入力手段またはマイクロホンを用いた利用者からの検索入力に従って楽曲索引データベースから抽出した楽曲情報を表示する手段を備えること
（３）表示された楽曲情報に対して試聴要求の操作入力があった際、楽曲索引データベースから当該楽曲の試聴データを抽出・再生してスピーカーまたはヘッドホンから音声出力する手段を備えること
（４）表示された楽曲情報に対してリクエスト要求の操作入力があった際、当該楽曲の識別子を含んだ演奏予約電文をカラオケ装置に送信する手段を備えること
（５）操作入力手段による切替入力に応答してスピーカーから音声出力させるかヘッドホンから音声出力させるかを切り替える手動切替手段を備えること
（６）マイクロホンからの音声入力音量が基準以上である場合にスピーカーから音声出力させずにヘッドホンから音声出力させる自動切替手段を備えること
【発明の効果】
【００１０】
カラオケ選曲予約装置により検索した楽曲を試聴しようとする際に、カラオケでだれかが歌っている最中で大きな音が響いている場合、自動的にヘッドホンに切り替わるので、オーディオ機器の取り扱いに不慣れな人でもとまどうことがなく、使い勝手がよい。
【図面の簡単な説明】
【００１１】
【図１】実施例におけるカラオケ演奏予約装置の外観図である。
【図２】実施例におけるカラオケ演奏予約装置の構成図である。
【図３】実施例における音響入出力システムの構成図である。
【実施例】
【００１２】
＝＝＝カラオケ選曲予約装置１の基本機能＝＝＝
図１〜図３に示すように、この発明に係るカラオケ選曲予約装置１は、タッチパネル表示システム４を採用したタブレットコンピューターの応用機器である。この装置１の基本機能の多くは、カラオケ店において以前から普及しているものと同様であり、この分野の周知慣用技術についての説明は最小限に留める。
【００１３】
カラオケ選曲予約装置１は、メインコンピューター２・記憶システム３・タッチパネル表示システム４・音響出力システム５・音響入力システム６・リモコン送信器７・クレイドル通信インタフェース８・旋律検索エンジン９・音声認識エンジン１０・声紋分析エンジン１１を備えており、メインコンピューター２が装置全体の動作を統括し制御する。記憶システム３には、楽曲索引データベースが格納されている。楽曲索引データベースは、曲名やアーティスト名など、楽曲ごとの各種の属性情報が含まれているとともに、各楽曲の印象的な旋律を奏でるための試聴データが含まれている。
【００１４】
選曲の基本は、曲名検索やアーティスト名検索などの周知のキーワード検索である。キーワードの入力方式としては、タッチパネル表示システム４を用いたもっとも一般的な文字入力方式と、音響入力システム６および音声認識エンジン１０を用いた音声入力方式とがある。音声入力モードにおいては、利用者が曲名やアーティスト名を発話すると、音響入力システム６のマイクロホン６ａにより音声が採取され、音声認識エンジン１０により認識されて文字データに変換され、検索キーワードが生成される。あとは文字入力方式と同じである。
【００１５】
メインコンピューター２は、検索により楽曲索引データベースより抽出した１曲以上の楽曲に関し、曲名やアーティスト名などをタッチパネル表示システム４に表示するとともに、１つの曲名を特定した上で演奏予約または試聴要求の利用者入力を受け付け可能とする。演奏予約の利用者入力があった場合、特定された楽曲の識別子を含んだ演奏予約電文をリモコン送信器７から出力する。この演奏予約電文がカラオケ演奏装置５０のリモコン受信器５１で受信されると、当該楽曲識別子が演奏予約の待ち行列に登録される。
【００１６】
また、試聴要求の利用者入力があった場合、メインコンピューター２は、該当曲の試聴データを楽曲索引データベースから抽出し、音響出力システム５のスピーカー５ａまたはヘッドホン５ｂから放音させる。利用者はこれを聞いて演奏予約しようと思った場合、演奏予約の利用者入力を行えばよい。
【００１７】
以上のとおり、この発明に係るカラオケ選曲予約装置１は、マイクロホン６ａとスピーカー５ａ・ヘッドホン５ｂを備えている。マイクロホン６ａで採取された周辺の音の信号は音声認識システム１０と旋律認識エンジン９（後述）および声紋分析エンジン１１（後述）の処理対象となる。スピーカー５ａまたはヘッドホン５ｂにより、楽曲索引データベースから抽出した楽曲の一部を試聴することができる。図１に示すように、ヘッドホン５ｂは、非使用時にはカラオケ選曲装置１のハウジングに装着しておくことで邪魔にならないようにしてある。
【００１８】
カラオケ選曲予約装置１は、図１（Ｂ）に示すように、クレイドル２０に載置可能となっている。クレイドル２０に載置された状態にては、カラオケ選曲予約装置１のクレイドル通信インタフェース８および電源ユニット（図示省略）のコネクタとクレイドル２０のコネクタとが接続される。クレイドル２０のコネクタはカラオケ演奏装置５０のクレイドル通信インタフェース５２と有線接続されている。
【００１９】
この構成により、クレイドル２０に載置された状態で、カラオケ選曲予約装置１とカラオケ演奏装置５０とが通信可能に接続され、たとえば、カラオケ選曲予約装置１の楽曲索引データベースを更新する処理がカラオケ演奏装置５０の主導により行われる。また、クレイドル２０を介してカラオケ選曲予約装置１の電源電池が充電される。これら周知慣用技術については詳述しない。
【００２０】
なお周知のように、カラオケ演奏装置５０は、カラオケデータを配信する通信カラオケプロバイダーのホスト装置に専用線などを介して接続されている他、インターネット上のデータベースサーバーや情報提供サーバーに接続されており、カラオケ利用者向けに各種の情報を提供するサービスを実施している。カラオケ演奏装置５０は、そうした外部のコンピューター（ホスト装置７０）と通信網６０を介して通信するための対外通信インタフェース５３を備えている。
【００２１】
カラオケ演奏装置５０の全体を統括しているコンピューターは、周知のように、クレイドル通信インタフェース５２を介してカラオケ選曲予約装置１と通信するとともに、対外通信インタフェース５３を介してホスト装置７０などと通信する。
【００２２】
＝＝＝発明の核心部分＝＝＝
図３は、カラオケ選曲予約装置１の音響出力システム５と音響入力システム６の構成を示している。メインコンピューター２は、利用者が指定した楽曲の試聴音声を再生出力するにあたり、該当の試聴データをＤ／Ａ変換器５ｅによりアナログ音声信号に変換させてアンプ５ｄで増幅させ、切替器５ｃを介してスピーカー５ａまたはヘッドホン５ｂのいずれかから放音させる。
【００２３】
カラオケ選曲予約装置１に電源が投入された際にメインコンピューター２は初期処理を行うところ、その一環として、切替器５ｃの制御モードとして自動切替モードを能動化する。この自動切替モードは、マイクロホン６ａからの音声入力音量が基準以下である場合には切替器５ｃをスピーカー５ａ側に切り替え、マイクロホン６ａからの音声入力音量が基準以上である場合には切替器５ｃをヘッドホン５ｂ側に自動的に切り替える制御モードである。
【００２４】
自動切替モードにおいては、マイクロホン６ａから出力される音声信号はアンプ６ｂを経てＡ／Ｄ変換器６ｃに入力され、デジタル変換された音声信号がメインコンピューター２に取り込まれる。メインコンピューター２は、マイクロホン６ａからの音声信号の振幅を所定時間にわたり移動平均して音量レベルを検出する割込処理をつねに行っている。
【００２５】
メインコンピューター２は、移動平均処理により検出されるマイクロホン６ａの入力音声の音量レベルとあらかじめ設定された基準レベルとを比較し、入力音量レベルが基準レベルを下回る場合は切替器５ｃをスピーカー５ａ側に切り替え、入力音量レベルが基準レベルを上回る場合は切替器５ｃをヘッドホン５ｂ側に切り替える。
【００２６】
自動切替モードによりスピーカー５ａが選択されている場合、音がスピーカー５ａから放音されるので問題ないが、ヘッドホン５ｂが選択されている場合は利用者が気づきにくいので、メインコンピューター２は、ヘッドホン５ｂに自動切り替えした際には、タッチパネル表示システム４に「ヘッドホンで聴いてください」とか「音はヘッドホンから」といった表示をして利用者に知らせる。
【００２７】
前述したとおり、利用者が検索により楽曲を選出し、その楽曲についての試聴要求の操作入力を受け付ける場面においては、タッチパネル表示システム４に試聴要求ボタンとともに自動切替ボタン・スピーカーボタン・ヘッドホンボタンが表示され、初期処理により自動切替モードが設定されていることを表すように自動切替ボタンが明るく表示されている。利用者がスピーカーボタンとヘッドホンボタンに触れずに試聴要求ボタンに触れた場合、前述の自動切替モードの制御により試聴音声はスピーカー５ａまたはヘッドホン５ｂから放音される。
【００２８】
自動切替モードにおいて、ある曲の試聴音声をスピーカー５ａから放音させている途中で周囲の音が大きくなり、メインコンピューター２がヘッドホン５ｂに切り替えると判断した場合、メインコンピューター２は、その曲の試聴音声の再生出力を中断するとともに最初から再生出力をやり直しし、試聴音声を最初からヘッドホン５ｂより放音させる。奏することにより、利用者は視聴音声を聴きもらすことがない。
【００２９】
なお、タッチパネル表示システム４に試聴要求ボタンとともに自動切替ボタン・スピーカーボタン・ヘッドホンボタンが表示され、初期処理により自動切替モードが設定されていることを表すように自動切替ボタンが明るく表示されている状態において、利用者がスピーカーボタンに触れるとメインコンピューター２は自動切替モードを解除し、切替器５ｃをスピーカー５ａ側に切り替えるとともに、スピーカーボタンを明るく表示する。同様に、利用者がヘッドホンボタンに触れるとメインコンピューター２は自動切替モードを解除し、切替器５ｃをヘッドホン５ｂ側に切り替えるとともに、ヘッドホンボタンを明るく表示する。
【００３０】
以上が手動切替モードである。手動切替モードになっている状態で、利用者がタッチパネル表示システム４に表示された自動切替ボタンに触れると、メインコンピューター２は自動切替モードに復帰して自動切替ボタンを明るく表示する。
【符号の説明】
【００３１】
５ａ…スピーカー
５ｂ…ヘッドホン
６ａ…マイクロホン
【図２】
2011215203.tif 000003
【図３】
2011215203.tif 000004
【図１】
2011215203.tif 000005